(57)【特許請求の範囲】
【請求項１】
照明光を発する光源部と、前記照明光の特性を変換する特性変換手段とを有する光源装置において、
前記特性変換手段は、前記照明光の特性を変換する複数の特性変換部材と、前記照明光の光路内に前記特性変換部材を適宜選択的に挿脱可能な状態で保持する保持体とから構成し、
前記保持体における前記照明光の光路内に挿入される前記特性変換部材の有無と、前記特性変換部材の位置検出とを行う検出手段を設けたことを特徴とする光源装置。
【請求項２】
前記保持体は、回転部材によって形成されたものであることを特徴とする前記請求項１に記載の光源装置。
【請求項３】
前記保持体は、複数の前記特性変換部材のうち少なくても一つが脱着可能に保持されるものであることを特徴とする前記請求項１または２に記載の光源装置。
【発明の詳細な説明】
【０００１】
【発明の属する技術分野】
本発明は例えば内視鏡に照明光を供給する光源装置に関する。
【０００２】
【従来の技術】
一般に、内視鏡に照明光を供給する光源装置には内視鏡に接続された光伝送用のライトガイドケーブルのライトガイドコネクタ部が脱着可能に結合される出力コネクタであるコネクタ結合部と、光源ランプから出射された照明光をコネクタ結合部に結合されるライトガイドコネクタ部の入射端部に集光する照明光集光部とが設けられている。
【０００３】
また、例えば特開昭５８−７５５２２号公報や、特開昭６０−２２１１２号公報には光源ランプから出射された照明光の特性を変換する複数のフィルタが並設されたターレット板を光源ランプとコネクタ結合部との間の光路内に介設した構成の光源装置が示されている。そして、ターレット板を回転駆動することにより、光源ランプとコネクタ結合部との間の光路内に介設されるフィルタを選択的に切換えることができるようになっている。
【０００４】
【発明が解決しようとする課題】
上記従来の多くの光源装置ではターレット板上のフィルタは固定状態で取付けられている。そのため、光源装置内のフィルタは交換できない場合が多い。また、光源装置内のフィルタの交換を行う場合にはメーカーで交換する方式で対応する場合が多い。
【０００５】
また、ユーザー自らが光源装置内のフィルタの交換作業ができるフィルタ（以後ユーザーフィルタ）を設けたモデルもある。しかしながら、この場合であっても、光源装置内のスペース的な問題や、検出デバイスの増加による光源装置のコストアップ回避のため、光源装置内にフィルタが装着されているか否かを検知する検知機構は組み込まれていない場合が普通であるので、光源装置の使用時には光源装置内のユーザーフィルタの装着部位に実際にはユーザーフィルタが装着されていない場合でもターレット板の回転位置をユーザーフィルタの装着部位に選択することができる。このような場合には光源ランプから出射された照明光の特性を所望の状態に変換することができない問題がある。
【０００６】
そのため、ユーザーフィルタの未装着時にはそのユーザーフィルタの装着用のスペースに遮光部材を設けるなどの手段を講じる必要があり、メーカーにとってはコストアップとなる問題がある。さらに、ユーザーにとってはフィルタ取り付け時にフィルタ取り付け作業とは別に遮光部材を取り除く等のわずらわしい作業を行わなければならないので、フィルタ取り付け時の作業手順が増える問題がある。
【０００７】
本発明は上記事情に着目してなされたもので、その目的は、コストアップを抑えながら、ユーザーフィルタなどの特性変換手段の装着の有無を確実に検出することができる光源装置を提供することにある。
【０００８】
【課題を解決するための手段】
請求項１の発明は、照明光を発する光源部と、前記照明光の特性を変換する特性変換手段とを有する光源装置において、前記特性変換手段は、前記照明光の特性を変換する複数の特性変換部材と、前記照明光の光路内に前記特性変換部材を適宜選択的に挿脱可能な状態で保持する保持体とから構成し、前記保持体における前記照明光の光路内に挿入される前記特性変換部材の有無と、前記特性変換部材の位置検出とを行う検出手段を設けたことを特徴とする光源装置である。
そして、本請求項１の発明では、前記保持体における前記照明光の光路内に挿入される前記特性変換部材の有無と、前記特性変換部材の位置検出とを検出手段によって行うようにしたものである。
【００１１】
請求項２の発明は、前記保持体は、回転部材によって形成されたものであることを特徴とする前記請求項１に記載の光源装置である。
そして、本請求項２の発明では、回転部材の保持体の回転によって照明光の光路内に特性変換部材を適宜選択的に挿脱可能な状態で保持するようにしたものである。
【００１２】
請求項３の発明は、前記保持体は、複数の前記特性変換部材のうち少なくても一つが脱着可能に保持されるものであることを特徴とする前記請求項１または２に記載の光源装置である。
そして、本請求項３の発明では、ユーザーフィルタを含めたフィルタ類などの特性変換部材を搭載したターレットなどの保持体の原点検出デバイスである検出手段によって、ユーザーフィルタなどの特性変換部材の装着の有無も検出できる構造とする。これにより、検出デバイスを複数設けたり、取外された特性変換部材の装着部位に遮光部材を設ける等のコストアップを回避しながら確実にターレットなどの保持体の原点の検出と、ユーザーフィルタなどの特性変換部材の装着の有無の検出を行うことができるようにしたものである。
【００１３】
【発明の実施の形態】
以下、本発明の第１の実施の形態を図１乃至図７を参照して説明する。図１は本実施の形態の光源装置１を備えた内視鏡システム２全体の概略構成を示すものである。この内視鏡システム２は、例えば体腔内の観察および処置を行う内視鏡３と、この内視鏡３へ照明光を供給する光源装置１とにより主に構成されている。
【００１４】
また、内視鏡３は、図１に示すように体腔内に挿入される細長い挿入部４と、この挿入部４の基端側の端部に形成された操作部（把持部）５と、この操作部５の上部に設けられた接眼部６と、操作部５の側面部に基端部が連結されたライトガイドケーブル７とにより主に構成されている。さらに、ライトガイドケーブル７の先端部には本実施の形態の光源装置１との接続用のライトガイドコネクタ部８が配設されている。このライトガイドコネクタ部８は、光源装置１の出力コネクタ（コネクタ結合部）９に接続されるようになっている。
【００１５】
そして、光源装置１から供給される照明光は、内視鏡３内に設けられた図示しないライトガイドにより、ライトガイドコネクタ部８から内視鏡３の挿入部４まで導光され、挿入部４の先端側から被写体へ出射される。さらに、照明された被写体像は、挿入部４の先端側から内視鏡３に挿通する図示しないイメージガイドで導光され、接眼部６の図示しない光学系を介して観察、診断が出来るようになっている。
【００１６】
なお、内視鏡３の接眼部６にはＣＣＤ等の撮像装置を内蔵したテレビカメラヘッド１０が取り付けられている。このテレビカメラヘッド１０はモニター等の表示装置に表示するテレビカメラシステム１１に接続されている。そして、テレビカメラヘッド１０からの撮像信号はテレビカメラシステム１１に入力され、このテレビカメラシステム１１により内視鏡３の被写体像を図示しないモニター画面に映し出し、観察、診断をすることができるようになっている。
【００１７】
また、図２および図３は光源装置１の内部構成を示すものである。本実施の形態の光源装置１には照明光を発生させるメインランプ（光源ランプ）１２が出力コネクタ９と離間対向する位置に配置されている。さらに、出力コネクタ９とメインランプ１２との間にはメインランプ１２からの出射光（放射光）を平行光に変換するための第１のレンズ１３と、この平行光を出力コネクタ９内に挿入されたライトガイドコネクタ部８に入射するために再び集光して収束光に変換する為の第２のレンズ１４とが順次配置されている。そして、これらの第１のレンズ１３と、第２のレンズ１４とによってメインランプ１２から出射された照明光を出力コネクタ９に結合されるライトガイドコネクタ部８の入射端部８ａに集光する照明光集光部１５が形成されている。
【００１８】
また、第１のレンズ１３と、第２のレンズ１４との間には出射光に分光特性の変換を可能とする複数のフィルタ類を搭載した回転円板によって形成されるターレット（保持体）１６が配置されている。このターレット１６は図４（Ｂ）に示すように光源装置１のランプベース１７に立設されたモータ取付け板１８に固定されたステッピングモータ１９の回転軸２０に固定されている。そして、このステッピングモータ１９の動力によって回転軸２０を介してターレット１６が回転駆動されるようになっている。
【００１９】
さらに、図４（Ａ）に示すようにターレット１６の板面には外周部位に照明光の特性を変換するフィルタ類などの複数の搭載物が搭載されている。このターレット１６の搭載物には、メインランプ１２からの出射光を内視鏡観察に最適な色に変換するための色補正フィルタ（特性変換部材）２１と、出射光の減光を行なうための減光メッシュ（特性変換部材）２２と、出射光をユーザーの好みの色、もしくは蛍光観察、赤外光観察等の特殊光観察に適した光に変換するユーザーフィルタ（特性変換部材）２３と、メインランプ１２に何らかの異常が生じ、点灯できなくなった時に代りに点灯する非常灯２４とが設けられている。これら各種の搭載物はターレット１６の周方向に沿って並設されている。
【００２０】
また、ターレット１６の板面にはユーザーフィルタ２３を着脱可能に装着するユーザーフィルタ装着溝部２５が形成されている。このユーザーフィルタ装着溝部２５の周囲にはユーザーフィルタ固定ばね２６が配設されている。そして、ユーザーフィルタ２３はフィルタホルダ２７に装着された状態でターレット１６のユーザーフィルタ装着溝部２５に挿入されたセット位置にセットされるとともに、ユーザーフィルタ装着溝部２５にセットされたユーザーフィルタ２３は固定ばね２６によりターレット１６に固定されるようになっている。これにより、ユーザーフィルタ２３はユーザーによる交換が可能となっている。なお、フィルタホルダ２７にはホルダ検出突起２７ａが外向きに突設されている。
【００２１】
さらに、本実施の形態の光源装置１にはターレット１６の回転位置を検出するターレット回転位置検出機構（検出手段）２８が設けられている。このターレット回転位置検出機構２８には光源装置１のランプベース１７に取付けブラケット２９を介して取付けられたフォトインタラプタ３０が設けられている。このフォトインタラプタ３０の先端部には位置検出用の検出部３０ａが突設されている。
【００２２】
また、ターレット１６の外周部位には原点位置検出用の原点検出突起３１が外向きに突設されている。なお、フィルタホルダ２７のホルダ検出突起２７ａはターレット１６の回転時の原点検出突起３１の回転軌道と対応する位置に配置されている。そして、フォトインタラプタ３０はターレット１６の原点検出突起３１およびフィルタホルダ２７のホルダ検出突起２７ａが確実にフォトインタラプタ３０の検出部３０ａを通過できる位置に配置されている。
【００２３】
また、本実施の形態の光源装置１には図５に示すようにターレット１６の回転動作を制御するコントローラ３２が設けられている。このコントローラ３２には演算部３２ａと、メモリ３２ｂとが内蔵されている。さらに、このコントローラ３２にはステッピングモータ１９と、フォトインタラプタ３０と、電源スイッチ３３と、フィルタ選択スイッチ３４と、フィルタ交換スイッチ３５とがそれぞれ接続されている。
【００２４】
そして、コントローラ３２によってターレット１６の回転動作が制御されるようになっている。なお、図４（Ａ）中で、Ｏ点はターレット１６の回転中心位置、Ａ点はターレット１６の回転軌道中における照明光集光部１５の光軸位置、Ｂ点はユーザーフィルタ２３の交換位置である。ここで、照明光集光部１５の光軸位置Ａと、ユーザーフィルタ２３の交換位置Ｂとはターレット１６の回転方向に対して略１８０°離れた位置に配置されている。
【００２５】
また、本実施の形態の光源装置１の筐体３６にはターレット１６の回転軌道におけるユーザーフィルタ２３の交換位置Ｂの近傍位置にランプ交換扉３７が配設されている。このランプ交換扉３７は光源装置１の筐体３６に開閉可能に取付けられている。
【００２６】
そして、ターレット１６の回転時にはターレット１６の原点検出突起３１がフォトインタラプタ３０の検出部３０ａを横切ることによりフォトインタラプタ３０の検出部３０ａが遮光され、この時点がターレット１６の原点位置としてコントローラ３２の演算部３２ａにより認識されるようになっている。さらに、コントローラ３２のメモリ３２ｂにはターレット１６の原点位置から各ターレット１６の搭載物までステップ数が登録されている。そのため、コントローラ３２の演算部３２ａではこの情報を基にステッピングモータ１９の動作を制御し、ターレット１６を回転駆動して照明光集光部１５の光軸位置Ａにフィルタ類を停止させることが可能になる。
【００２７】
また、ターレット１６のユーザーフィルタ装着溝部２５にはユーザーによりユーザーフィルタ２３が装着されている状態と、未装着の状態とが有る。そして、本実施の形態ではターレット１６の回転時にフィルタホルダ２７のホルダ検出突起２７ａがフォトインタラプタ３０の検出部３０ａを横切ることによりフォトインタラプタ３０の検出部３０ａが遮光された場合にはターレット１６のユーザーフィルタ装着溝部２５にユーザーフィルタ２３が装着されている状態として判断され、フォトインタラプタ３０の検出部３０ａの遮光が起こらなかった場合にはユーザーフィルタ２３は装着されていないと判断されるようになっている。これにより、ターレット１６のユーザーフィルタ装着溝部２５にはユーザーによりユーザーフィルタ２３が装着されている状態と、未装着の状態とが検出されるようになっている。
【００２８】
さらに、光源装置１の使用時には電源スイッチ３３、フィルタ選択スイッチ３４、フィルタ交換スイッチ３５の操作に応じてコントローラ３２によってステッピングモータ１９の駆動状態が制御され、ターレット１６の回転動作が次の通り制御されるようになっている。すなわち、電源スイッチ３３のオン操作時には補正フィルタ２１が照明光集光部１５の光軸位置Ａにセットされる位置までターレット１６が回転されるようになっている。また、フィルタ選択スイッチ３４のオン操作時にはユーザーフィルタ２３が照明光集光部１５の光軸位置Ａにセットされる位置までターレット１６が回転されるようになっている。さらに、フィルタ交換スイッチ３５のオン操作時にはユーザーフィルタ２３がランプ交換扉３７の近傍位置に配置された交換位置Ｂにセットされる位置までターレット１６が回転されるようになっている。
【００２９】
次に、上記構成の本実施の形態の作用について説明する。本実施の形態の光源装置１の使用時にはコントローラ３２によって光源装置１の内部のターレット１６の回転動作が図６および図７のフローチャートにしたがって次の通り制御される。
【００３０】
まず、最初のステップＳ１では光源装置１の電源スイッチ３３がオン操作された状態か、否かが判断される。ここで、光源装置１の電源スイッチ３３をオン操作して電源を投入した状態と判断された場合にはステップＳ２に進む。このステップＳ２ではコントローラ３２のメモリ３２ｂに記録されている前回使用時のターレット１６の最終位置の情報が読み出される。そして、次のステップＳ３ではここでメモリ３２ｂから読み出された前回使用時のターレット１６の最終位置の情報を基に演算部３２ａからステッピングモータ１９に駆動信号が出力される。このとき、ターレット１６の原点検出突起３１とフォトインタラプタ３０との距離が近いと思われる方向に向けてターレット１６の回転が開始され、次のステップＳ４に進む。
【００３１】
このステップＳ４では、ターレット１６の原点検出突起３１がフォトインタラプタ３０の検出部３０ａを遮光した状態が検出されたか、否かが判断される。そして、このターレット１６の回転時にターレット１６の原点検出突起３１がフォトインタラプタ３０の検出部３０ａを遮光した状態が検出されると次のステップＳ５に進み、コントローラ３２の演算部３２ａではその地点をゼロ点と認識する。
【００３２】
さらに、ターレット１６はその後も回転を続ける。このターレット１６の回転中に、次のステップＳ６でターレット１６のユーザーフィルタ装着溝部２５にユーザーフィルタ２３が装着されている状態と、未装着の状態とを識別する作業が行われる。ここでは、フィルタホルダ２７のホルダ検出突起２７ａでフォトインタラプタ３０の検出部３０ａが遮光された場合にはユーザーフィルタ２３は装着されていると認識され、遮光されなかった場合はユーザーフィルタ２３は装着されていないと認識される。
【００３３】
続いて、次のステップＳ７ではユーザーフィルタ２３の有無の識別が終了したか、否かが検出される。このステップＳ７で、ユーザーフィルタ２３の有無の識別が終了した状態が検出された場合には次のステップＳ８に進む。
【００３４】
これらの検出作業が終了した後、ステップＳ８ではステッピングモータ１９は検出された原点を基に決まったステップ数だけ回転し、照明光集光部１５の光軸位置Ａにターレット１６上の色補正フィルタ２１が中心位置を合わせた状態でセット（固定）される。これにより、色補正フィルタ２１がランプ出射光に確実に挿入されるため内視鏡３の観察に適した特性を持つ光が出力コネクタ９から出射される。
【００３５】
また、光源装置１の出力コネクタ９には内視鏡３のライトガイドケーブル７のライトガイドコネクタ部８の入射端部８ａが接続される。この出力コネクタ９へのライトガイドコネクタ部８の接続時にはメインランプ１２からの出射光（放射光）が第１のレンズ１３で平行光に変換されたのち、この平行光が照明光集光部１５の光軸位置Ａにセットされているターレット１６上の色補正フィルタ２１を透過して分光特性が変換された状態で第２のレンズ１４側に導光される。さらに、第２のレンズ１４によって再び集光されて収束光に変換された照明光は出力コネクタ９内に挿入されたライトガイドコネクタ部８に入射される。これにより、内視鏡３のライトガイドケーブル７への照明光の供給が行われる。
【００３６】
また、光源装置１の使用中は、図７のステップＳ９で、フィルタ選択スイッチ３４がオン操作された状態か、否かが判断される。ここで、ユーザーが特殊な観察を行なう時などユーザーフィルタ２３を使用する場合は、光源装置１のフィルタ選択スイッチ３４がオン操作される。このステップＳ９で、フィルタ選択スイッチ３４がオン操作された状態と判断された場合には続いて次のステップＳ１０に進む。
【００３７】
このステップＳ１０では、ターレット１６のユーザーフィルタ装着溝部２５にユーザーフィルタ２３が装着された状態か、否かが判断される。ここで、ターレット１６のユーザーフィルタ装着溝部２５にユーザーフィルタ２３が装着された状態と判断された場合には続いて次のステップＳ１１に進む。このステップＳ１１ではステッピングモータ１９が決まったステップ数回転する。これにより、ユーザーフィルタ２３が照明光集光部１５の光軸位置Ａにセットされ、ランプ出射光に挿入される。そのため、この場合にはユーザーフィルタ２３を介して内視鏡３のライトガイドケーブル７への照明光の供給が行われ、ユーザーフィルタ２３を透過して分光特性が変換された状態の照明光での観察ができる。
【００３８】
その後、再度、フィルタ選択スイッチ３４が選択されるとステッピングモータ１９が駆動されてターレット１６が回転し、照明光集光部１５の光軸位置Ａにはユーザーフィルタ２３に代えて色補正フィルタ２１が再び挿入されることになる。なお、ユーザーフィルタ２３が予めターレット１６に装着されていない場合はフィルタ選択スイッチ３４を押しても何も動作しない設計になっている。
【００３９】
また、次のステップＳ１２ではメインランプ１２が消灯している状態か、否かが判断される。ここで、メインランプ１２に何かしらの問題が生じ消灯してしまった時はメインランプ１２が消灯している状態と判断される。この場合には続いて次のステップＳ１３に進む。このステップＳ１３ではコントローラ３２の演算部３２ａからの情報を基にステッピングモータ１９はコントローラ３２のメモリ３２ｂに予め記録されたステップ数だけ回転する。そして、ターレット１６上の非常灯２４がＡ点に来る位置で停止する。これにより、非常灯２４が照明光集光部１５の光軸位置Ａにセットされるため、非常灯２４からの出射光により最低限の処置を行なうことが出来る。
【００４０】
また、ステップＳ１２でメインランプ１２が消灯している状態と判断されない場合（メインランプ１２が点灯している状態と判断される場合）には、続いて次のステップＳ１４に進む。このステップＳ１４ではフィルタ交換スイッチ３５がオン操作された状態か、否かが判断される。ここで、フィルタ交換スイッチ３５がオン操作された状態と判断された場合には続いて次のステップＳ１５に進む。このステップＳ１５ではコントローラ３２の演算部３２ａからの情報を基にステッピングモータ１９が予め決められたステップ数回転し、ランプ交換扉３７の付近であるユーザーフィルタ２３の交換位置Ｂにユーザーフィルタ２３が移動した時点でターレット１６の回転が停止される。
【００４１】
その後、光源装置１の電源を落とした後にランプ交換扉３７を開け、ユーザーフィルタ２３にアクセスすることが出来る。ここで、ユーザーフィルタ２３はフィルタホルダ２７に装着された状態でターレット１６のユーザーフィルタ装着溝部２５にバネ６１により固定されている。よって、光源装置１の筐体３６の外側に向かってフィルタホルダ２７を引き抜くことによってフィルタホルダ２７をターレット１６のユーザーフィルタ装着溝部２５から取り外すことが出来る。
【００４２】
また、新しいユーザーフィルタ２３を装着する場合は逆にランプ交換扉３７の開口部分からフィルタホルダ２７を回転軸２０に向かって押し込むことにより、ターレット１６のユーザーフィルタ装着溝部２５に新しいユーザーフィルタ２３を装着することができる。これにより、ターレット１６のユーザーフィルタ装着溝部２５のユーザーフィルタ２３を交換し、出射光をユーザーの好みの色、もしくは蛍光観察、赤外光観察等の特殊光観察に適した光に変換するなどの他の任意の種類のユーザーフィルタ２３に交換することができる。
【００４３】
最後に、ランプ交換扉３７を閉じることによりユーザーフィルタ２３の交換作業は完了する。なお、フィルタ交換スイッチ３５を新たに設ける代りにフィルタ選択スイッチ３４を長押し時、もしくはダブルクリック時にはフィルタ交換動作に入るというようにフィルタ選択スイッチ３４に複数の機能を持たせる構成にしても良い。
【００４４】
そこで、上記構成のものにあっては次の効果を奏する。すなわち、本実施の形態の光源装置１ではユーザーフィルタ２３を含めた複数のフィルタ類などの特性変換部材を搭載したターレット１６の回転位置を検出するターレット回転位置検出機構２８を設け、このターレット回転位置検出機構２８のフォトインタラプタ３０によって、ユーザーフィルタ２３の装着の有無も検出できる構造としたものである。これにより、ターレット回転位置検出機構２８の原点位置を検出する検出デバイスや、ユーザーフィルタ２３の装着の有無を検出する検出デバイスなどをそれぞれ別個に設ける場合や、ターレット１６のユーザーフィルタ装着溝部２５から取外されたユーザーフィルタ２３の装着部位に遮光部材を設ける等のコストアップを回避しながら確実にターレット１６の原点の検出と、ターレット１６のユーザーフィルタ装着溝部２５へのユーザーフィルタ２３の装着の有無の検出を行うことができる。したがって、本実施の形態では一つの検出デバイスであるターレット回転位置検出機構２８のフォトインタラプタ３０によってターレット１６の原点検出、ユーザーフィルタ２３の装着の有無を検出できるため、コストアップを抑えながらユーザーにとっても使い勝手が良い光源装置１を提供することができる。
【００４５】
また、図８（Ａ），（Ｂ）は第１の実施の形態の光源装置１の変形例を示すものである。本変形例では光源装置１の電源スイッチ３３をＯＦＦ操作されてターレット１６の回転が停止した際に図８（Ａ）に示すように光源装置１の筐体３６におけるランプ交換扉３７側に向く部分にターレット１６のユーザーフィルタ装着溝部２５を設け、このユーザーフィルタ装着溝部２５にユーザーフィルタ２３を配置する構成にしたものである。この場合には、電源スイッチ３３をＯＦＦにするだけでユーザーフィルタ２３の交換作業を行なうことが出来る。これにより、第１の実施の形態で使用したフィルタ交換スイッチ３５等を省略することができるので、光源装置１の構成をさらに簡素化することができる。
【００４６】
また、図９（Ａ），（Ｂ）は本発明の第２の実施の形態を示すものである。本実施の形態は第１の実施の形態（図１乃至図７参照）および第１の実施の形態の変形例（図８（Ａ），（Ｂ）参照）の光源装置１の構成を次の通り変更したものである。
【００４７】
すなわち、本実施の形態ではターレット１６の回転位置を検出するターレット回転位置検出手段としてフォトインタラプタ３０の代りに図９（Ｂ）に示すフォトリフレクタ４１を用いている。さらに、本実施の形態ではターレット１６全体に無反射コーティングを施し、原点検出部４２、及びフィルタホルダ２７のみ反射部材で構成している。
【００４８】
なお、逆の構成、すなわちターレット１６全体を反射部材で構成し、原点検出部４２、及びフィルタホルダ２７のみ無反射コーティングを施してもよく、この場合も同じ作用になる。
【００４９】
そこで、上記構成のものにあっては次の効果を奏する。すなわち、本実施の形態ではターレット１６の回転位置を検出するターレット回転位置検出手段としてフォトリフレクタ４１を用いているので、この場合はターレット１６、フィルタホルダ２７とも第１の実施の形態で使用した検出用突起部を省略することができる。そのため、ターレット１６の小型化、光源装置１全体の小型化に貢献することが出来る。
【００５０】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  照明光を発する光源部と前記照明光の特性変換手段を有する光源装置において、前記特性変換手段の有無を検出する手段を有することを特徴とする光源装置。
【００５１】
（付記項２）  照明光を発する光源部と脱着可能な前記照明光の特性変換手段を有する光源装置において、前記特性変換手段の有無を検出する手段を有することを特徴とする光源装置。
【００５２】
（付記項３）  照明光を発する光源部と複数の前記照明光の特性変換手段を移動可能な平面に設けた光源装置において、前記特性変換手段の有無検出と前記平面の位置検出を同一の検出手段により行うことを特徴とする光源装置。
【００５３】
（付記項４）  照明光を発する光源部と複数の前記照明光の特性変換手段を回転可能な平面に設けた光源装置において、前記特性変換手段の有無検出と前記平面の位置検出を同一の検出手段により行うことを特徴とする光源装置。
【００５４】
（付記項５）  照明光を発する光源部と複数の前記照明光の特性変換手段を回転可能な平面に設け、少なくても前記特性変換手段のうち一つは脱着可能とした光源装置において、前記脱着可能な特性変換手段の有無検出と前記平面の位置検出を同一の検出手段により行うことを特徴とする光源装置。
【００５５】
（付記項１〜５の従来技術）  特開昭５８−７５５２２号公報、特開昭６０−２２１１２号公報。
【００５６】
（付記項１〜５が解決しようとする課題）  しかしながら従来のほとんどの光源装置はフィルタ交換の対応をしていないか、対応するとしてもメーカーでの交換が前提であった。またユーザー自らが交換できるフィルタ（以後ユーザーフィルタ）を設けたモデルであっても、スペース的な問題や検出デバイスの増加による光源装置のコストアップ回避のため、フィルタが装着されているか否かを検知することは行っておらず、ユーザーフィルタの装着の有無にかかわらずユーザーフィルタスペースを選択出来てしまった。そのためユーザーフィルタの未装着時にはそのスペースに遮光部材を設けるなどの手段をこうじる必要がありメーカーにとってはコストアップ、ユーザーにとってはフィルタ取り付け時に遮光部材を取り除く等わずらわしい作業を行わなければならなかった。
【００５７】
（付記項１〜５の目的）  本発明は上記事情を考慮し、コストアップを抑えながら、ユーザーフィルタの装着の有無を確実に検出できる構造を提供することを目的としている。
【００５８】
（付記項１〜５の課題を解決するための手段および作用）  本発明はユーザーフィルタを含めたフィルタ類を搭載したターレットの原点検出デバイスで、ユーザーフィルタの装着の有無も検出できる構造とする。
【００５９】
この構造によれば検出デバイスを複数もつ、遮光部材を設ける等のコストアップを回避しながら確実にターレットの原点の検出、ユーザーフィルタ装着の有無の検出を行うことができる。
【００６０】
（付記項１〜５の効果）  以上説明したように本発明によれば、一つの検出デバイスでターレットの原点検出、ユーザーフィルタ装着の有無を検出できるため、コストアップを抑えながらユーザーにとっても使い勝手が良い光源装置を提供することができる。
【００６１】
【発明の効果】
請求項１の発明によれば、保持体における照明光の光路内に挿入される特性変換部材の有無と、特性変換部材の位置検出とを検出手段によって行うことができる。これにより、一つの検出デバイスでターレットの原点検出と、ユーザーフィルタ装着の有無を検出できるため、コストアップを抑えながら、ユーザーフィルタなどの特性変換手段の装着の有無を確実に検出することができる。
【００６４】
請求項２の発明によれば、回転部材の保持体の回転によって照明光の光路内に特性変換部材を適宜選択的に挿脱可能な状態で保持することができる。
【００６５】
請求項３の発明によれば、ユーザーフィルタを含めたフィルタ類などの特性変換部材を搭載したターレットなどの保持体の原点検出デバイスである検出手段によって、ユーザーフィルタなどの特性変換部材の装着の有無も検出できる構造とする。これにより、検出デバイスを複数設けたり、取外された特性変換部材の装着部位に遮光部材を設ける等のコストアップを回避しながら確実にターレットなどの保持体の原点の検出と、ユーザーフィルタなどの特性変換部材の装着の有無の検出を行うことができる。
【図面の簡単な説明】
【図１】  本発明の第１の実施の形態の光源装置を備えた内視鏡システム全体の概略構成を示す斜視図。
【図２】  第１の実施の形態の光源装置の内部構成を示す平面図。
【図３】  第１の実施の形態の光源装置の内部構成を示す側面図。
【図４】  第１の実施の形態の光源装置におけるターレットの装着状態を示すもので、（Ａ）は横断面図、（Ｂ）は同側面図。
【図５】  第１の実施の形態の光源装置のコントローラの接続状態を示す概略構成図。
【図６】  第１の実施の形態の光源装置の制御状態を説明するフローチャート。
【図７】  第１の実施の形態の光源装置の制御状態を説明するフローチャート。
【図８】  第１の実施の形態の光源装置の変形例を示すもので、（Ａ）はターレットの装着状態を示す縦断面図、（Ｂ）は同側面図。
【図９】  本発明の第２の実施の形態を示すもので、（Ａ）はターレットの装着状態を示す縦断面図、（Ｂ）は同側面図。
【符号の説明】
１    光源装置
１２    メインランプ（光源ランプ）
１５    照明光集光部
１６    ターレット（保持体）
２１    色補正フィルタ（特性変換部材）
２２    減光メッシュ（特性変換部材）
２３    ユーザーフィルタ（特性変換部材）
２８    ターレット回転位置検出機構（検出手段）
３０    フォトインタラプタ
【図１】
0003820099.tif 000002
【図２】
0003820099.tif 000003
【図３】
0003820099.tif 000004
【図４】
0003820099.tif 000005
【図５】
0003820099.tif 000006
【図６】
0003820099.tif 000007
【図７】
0003820099.tif 000008
【図８】
0003820099.tif 000009
【図９】
0003820099.tif 000010